(57)【要約】【課題】ゴルフを打つ時の分離式アーム固定器を提供する。【解決手段】ゴルフを打つ時の分離式アーム固定器は左アームリングと右アームリングからなり、左アームリングや右アームリングは外周面の一側に位置付けシートと接続部とがあり、位置付けシートが、位置付けシートに固設されたバックルにより一体的に結合され、外周面のもう一側に延ばすようにマジックテープ（登録商標）のフック面が設けられ、そして、ユーザーの手部が貫通できるドーナッツ状になる軟質基材と、固定座とウイング板からなる接続部とが、含有される。【選択図】図１
0003128209.tif 000002
【実用新案登録請求の範囲】
【請求項１】
左アームリングと右アームリングからなり、当該左アームリングや右アームリングは、
外周面の一側に位置付けシートと接続部とがあり、当該位置付けシートが、当該位置付けシートに固設されたバックルにより、一体的に結合され、外周面のもう一側に延ばすようにマジックテープ（登録商標）のフック面が設けられ、そして、ユーザーの手部が貫通できるドーナッツ状になる軟質基材と
固定座とウイング板からなり、当該固定座とウイング板とが嵌合素子により、一体的に嵌設され、当該接続部が当該軟質基材に直交し、当該接続部のウイング板が台形である接続部とが含有される、ことを特徴とするゴルフを打つ時の分離式アーム固定器。
【請求項２】
当該軟質基材は、伸縮可能の複合材から構成され、当該複合材が、ネオプレン（Ｎｅｏｐｒｅｎｅ）であることを特徴とする請求項１に記載のゴルフを打つ時の分離式アーム固定器。
【請求項３】
当該ウイング板の一側は、少なくとも一つ以上のマジックテープ（登録商標）のフック面やスエード面が設けられることを特徴とする請求項１に記載のゴルフを打つ時の分離式アーム固定器。
【請求項４】
当該接続部の嵌合素子は、固定ネジやリベットであることを特徴とする請求項１に記載のゴルフを打つ時の分離式アーム固定器。
【考案の詳細な説明】
【技術分野】
【０００１】
本考案は、ゴルフを打つ時の分離式アーム固定器に関し、特に、ドーナッツ状である軟質基材と接続部のマジックテープ（登録商標）とを結合することにより、二つの軟質基材シートが両手を覆うように固定され、台形である当該ウイング板により、二つのアームを互いに挟み合うものに関する。
【背景技術】
【０００２】
忙しい工商社会において、運動の重要性が一般の人によって無視されるため、色々の病気が発生し、また、例えば、勤務のない時間や休祭日を利用してフィットネスやジムナジウムなどで、ジョギングや水泳などを行う人々が多くなり、しかしながら、運動姿勢が誤ったため間接に運動者自身の健康が障害されることが少なくなく、その中、ゴルフをやる人を例として、初心者がスウィングを学ぶ場合、プレーヤーが、両手がクラブの末端を堅く握るが、スウィングするため、体を回す時、プレーヤーの両手が弛めになることがあり、そのため、握り方が間違っているや手の位置が移動することにより、腕に傷付くことが多く、また、アームと体が、三角形を形成する基本姿態にならず、ユーザーが球を打つ時、失敗率が高くて、ゴルフをやる気がなくなる。
【考案の開示】
【考案が解決しようとする課題】
【０００３】
本考案の目的は、ユーザーの両腕が互いに寄り合わせて位置付けられ、両手と両肩が三角形を形成し、スウィングする時、球を打つ方向を保持でき、安定的にクラブを握ることができるゴルフを打つ時の分離式アーム固定器を提供する。
【課題を解決するための手段】
【０００４】
本考案は、左アームリングと右アームリングからなり、当該左アームリングや右アームリングは、外周面の一側に位置付けシートと接続部とがあり、当該位置付けシートが、当該位置付けシートに固設されたバックルにより、一体的に結合され、外周面のもう一側に延ばすようにマジックテープ（登録商標）のフック面が設けられ、そして、ユーザーの手部が貫通できるドーナッツ状になる軟質基材と、固定座とウイング板からなる接続部とが、含有されるゴルフを打つ時の分離式アーム固定器である。
【考案を実施するための最良の形態】
【０００５】
本考案は、図１乃至４を参照しながら、ゴルフを打つ時の分離式アーム固定器を提供し、当該ゴルフを打つ時の分離式アーム固定器由一左アームリング２及一右アームリング１からなり、当該左アームリング２や右アームリング１は、軟質基材１０と接続部２０とが含有され、
当該軟質基材１０は、伸縮可能の複合材から構成され、また、当該複合材が、ネオプレン（Ｎｅｏｐｒｅｎｅ）であり、当該軟質基材１０の外周面の一側に、位置付けシート１１と接続部２０とが設けられ、もう一側に延ばすようにマジックテープ（登録商標）のフック面１００が設けられ、当該位置付けシート１１は、当該位置付けシート１１に固設されたバックル１１０により、当該軟質基材１０に一体的に結合され、当該軟質基材１０は、ユーザーの手部が貫通できるドーナッツ状であり、
当該接続部２０は、固定座２０１とウイング板２０２からなり、当該固定座２０１とウイング板２０２とは、嵌合素子２００により、一体的に嵌設され、当該固定座２０１は、当該軟質基材１０上に縫着され、当該嵌合素子２００は、固定ネジ２０００やリベットであり、当該接続部２０は、当該軟質基材１０に直交し、当該接続部２０のウイング板２０２は、台形であり、当該ウイング板２０２は、一側に、マジックテープ（登録商標）のフック面２０２０が設けられ、もう一側に、マジックテープ（登録商標）のスエード面２０２１が設けられ、当該マジックテープ（登録商標）のフック面２０２０とマジックテープ（登録商標）のスエード面２０２１とが粘着することにより、互いに重ね合う両ウイング板２０２は、緊密に貼り合わせる。
【０００６】
図５を参照しながら、当該ゴルフを打つ時の分離式アーム固定器の二つの軟質基材１０は、それぞれに、ユーザーの左右腕に適用され、二つの軟質基材１０の外周面の一側に、それぞれ、位置付けシート１１が設けられ、また、各位置付けシート１１が、軟質基材１０の外周面上に縫着され、これにより、当該バックル１１０に、定点においての可動空間が形成され、各軟質基材１０は、外周面のもう一側に、延ばすようにマジックテープ（登録商標）のフック面１００が設けられ、また、当該軟質基材１０は、ユーザーの手部か貫通できるドーナッツ状であり、また、当該マジックテープ（登録商標）のフック面１００は、接続された軟質基材１０を囲むように設けられても良く、これにより、対応端のバックル１１０を貫通して軟質基板１０上に折り畳むことにより、任意的に各軟質基材１０の緊密度を調整でき、そのため、当該軟質基材１０がユーザーの左右腕部位を覆うようになり、如何なるユーザーの腕でも適用でき、また、快適性が向上される。
【０００７】
当該軟質基材１０の中間段に接続部２０が設けられ、当該接続部２０が、固定座２０１とウイング板２０２からなり、固定座２０１にウイング板２０２が螺着され、当該ウイング板２０２が、軟質基材１０に、例えば、ブレスレットの外表面に固設され、これにより、当該ウイング板２０２が当該軟質基材１０に直交するようになり、また、当該ウイング板２０２が、台形であり、当該二つのウイング板２０２が互いに重ね合う時、二つの中空であるリング状の軟質基材１０同士の間に、夾角が形成され、ユーザーの両手が握り合う動作に有利し、また、右腕に適用される軟質基材片１０上のウイング板２０２は、一側面にマジックテープ（登録商標）のフック面２０２０が設けられ、当該マジックテープ（登録商標）のフック面２０２０とバックル１１０が、当該ウイング板２０２の両側に位置し、また、左腕に適用される軟質基材１０のウイング板２０２は、一側面にマジックテープ（登録商標）のスエード面２０２１が設けられ、当該マジックテープ（登録商標）のスエード面２０２１とバックル１１０が、当該ウイング板２０２の一側に位置し、二つのウイング板２０２を上下に重ね合って、そして、ユーザーの両手がクラブを握る時の腕同士の隙間に合わせて、二つの軟質基材１０同士の距離を任意的に調整でき、その後、マジックテープ（登録商標）のスエード面２０２１とマジックテープ（登録商標）のフック面２０２０を互いに粘着することにより、二つのウイング板２０２が、一体的に粘着され、そして、ユーザーの両腕が挟まれて位置付けられて、両手と両肩とが、三角形を形成し、そのため、ゴルフを打つ時のスウィングを保持できて、安定的に球を打つことができる。
【０００８】
図６から分かるように、ユーザーの左右腕の位置に、ゴルフを打つ時の分離式腕固定器を覆うと、ユーザーの両手と両肩が、三角形を形成するように固定され、これにより、当該ユーザーが、両手で当該クラブを握ってスウィングする時の安定性が向上され、また、二つの軟質基材１０距離を任意的に調整でき、そして、マジックテープ（登録商標）のスエード面２０２１と（登録商標）のフック面２０２０が互いに粘着することにより、二つの接続部２０が一体的に粘着され、そのため、ユーザーの両腕が、挟まれて位置付けられて、ゴルフを打つ時のスウィングに有利し、安定的に球を打つことができる。
【０００９】
本考案によって得られる利点は、
１、ユーザーの両腕が所定の位置に固定されて、両手と両肩が三角形を形成するため、球打ちのミスを防止でき、
２、ユーザーの両手がクラブを握ってスウィングする時の安定性が向上され、
３、運動障害を防止でき、
４、ユーザーがゴルフを打つ興味が向上される。
【図面の簡単な説明】
【００１０】
【図１】本考案の右アームリングの素子分解図
【図２】本考案の右アームリングの立体外観図
【図３】本考案の左アームリングの素子分解概念図
【図４】本考案の左アームリングの立体外観図
【図５】本考案の左右アームリングの立体外観図
【図６】本考案に係わるゴルフを打つ時のアーム固定器を適用する時の実施例の概念図
【符号の説明】
【００１１】
１          右アームリング
１０        軟質基材
１００       マジックテープ（登録商標）のフック面
１１        位置付けシート
１１０       バックル
２          左アームリング
２０        接続部
２００       嵌合素子
２０１       固定座
２０２       ウイング板
２０００    固定ネジ
２０２０    マジックテープ（登録商標）のフック面
２０２１    マジックテープ（登録商標）のスエード面
【図１】
0003128209.tif 000003
【図２】
0003128209.tif 000004
【図３】
0003128209.tif 000005
【図４】
0003128209.tif 000006
【図５】
0003128209.tif 000007
【図６】
0003128209.tif 000008